(57)【要約】【課題】入力画像を垂直及び水平方向に任意の倍率にリサイズして出力する【解決手段】  サンプリング周波数をｎ倍に増加させた補間フィルタを用いて、入力画像信号の垂直方向に隣接する画素の周波数をｎ倍に増加した信号と畳み込まれた信号の周波数を、１／ｍ倍に減少する垂直リサイズブロック１と、サンプリング周波数をｊ倍に増加させた補間フィルタを用いて、垂直リサイズブロック１から出力された信号の水平方向に隣接する画素の周波数をｊ倍に増加した信号と畳み込まれた信号の周波数を、１／ｋ倍に減少する水平リサイズブロック２と、斜め方向の高域成分を減衰させ、方向にかかわらず通過域が平坦となる振幅を持つ２次元フィルタを用いて、水平リサイズブロック２から出力された信号と畳み込む２次元フィルタブロック３とを備える。【選択図】      図１
2009088893.tif 000002
【特許請求の範囲】
【請求項１】
入力画像信号を表示サイズに合致させるため、垂直及び水平方向に任意の倍率にリサイズして出力する表示装置であって、
前記入力画像信号のサイズと前記表示サイズとから補間画素位置を算出し、前記入力画像信号の垂直方向に隣接する画素の周波数を、ｎ倍（ｎは正の整数）に増加するアップサンプラと、フィルタ畳み込み処理部及びダウンサンプラにより前記アップサンプラにより出力された信号の周波数を１／ｍ倍（ｍは正の整数）に減少させ、前記入力画像信号の垂直方向に隣接する画素をｎ／ｍ倍にリサイズする垂直リサイズブロックと、
前記入力画像信号のサイズと前記表示サイズとから補間画素位置を算出し、前記入力画像信号の水平方向に隣接する画素の周波数を、ｊ倍（ｊは正の整数）に増加するアップサンプラと、フィルタ畳み込み処理部及びダウンサンプラにより前記アップサンプラにより出力された信号の周波数を１／ｋ倍（ｋは正の整数）に減少させ、前記入力画像信号の水平方向に隣接する画素をｊ／ｋ倍にリサイズする水平リサイズブロックと、
前記入力画像信号の斜め方向の高域成分を減衰させる周波数特性を有する２次元フィルタブロックと、
を備えることを特徴とする表示装置。
【請求項２】
入力画像信号を表示サイズに合致させるため、垂直及び水平方向に任意の倍率にリサイズして出力する表示プログラムであって、コンピュータを、
前記入力画像信号のサイズと前記表示サイズとから補間画素位置を算出し、前記補間画素位置を１／ｎにサンプリングしてサンプリング周波数をｎ倍に増加させた補間フィルタを用いて、前記入力画像信号の垂直方向に隣接する画素の周波数をｎ倍に増加した信号と畳み込み、前記周波数をｎ倍に増加した信号と畳み込まれた信号の周波数を、１／ｍ倍に減少して、前記入力画像信号の垂直方向に隣接する画素をｎ／ｍ倍にリサイズする垂直リサイズ手段と、
前記入力画像信号のサイズと前記表示サイズとから補間画素位置を算出し、前記補間画素位置を１／ｊにサンプリングしてサンプリング周波数をｊ倍に増加させた補間フィルタを用いて、前記入力画像信号の水平方向に隣接する画素の周波数をｊ倍に増加した信号と畳み込み、前記周波数をｊ倍に増加した信号と畳み込まれた信号の周波数を、１／ｋ倍に減少して、前記入力画像信号の水平方向に隣接する画素をｊ／ｋ倍にリサイズする水平リサイズ手段と、
前記入力画像信号の斜め方向の高域成分を減衰させる周波数特性を有する２次元フィルタ手段と、
して機能させることを特徴とする表示プログラム。
【発明の詳細な説明】
【技術分野】
【０００１】
本発明は、入力画像信号を垂直及び水平方向に任意の倍率にリサイズして出力する表示装置及び表示プログラムに関する。
【背景技術】
【０００２】
一般的にテレビなどの表示装置は、入力された画像データを、表示装置の表示サイズにリサイズしている。このような表示装置は、垂直方向の画素と画素の間に新しい画素を補間する垂直リサイズブロックと、水平方向の画素と画素の間に新しい画素を補間する水平リサイズブロックとが縦続接続されている。図１９（ａ）に示す表示装置９００ａは、入力信号が垂直リサイズブロック９０１ａによって垂直方向にリサイズされた後、水平リサイズブロック９０２ａによって水平方向にリサイズされて出力される。図１９（ｂ）に示す表示装置９００ｂは、入力信号が水平リサイズブロック９０２ｂによって水平方向にリサイズされた後、垂直リサイズブロック９０１ｂによって垂直方向にリサイズされて出力される。
【０００３】
図１９に示す構成を備える表示装置９００ａ，９００ｂにおいて周波数特性は、垂直リサイズブロックにおける垂直方向の拡大処理に用いるフィルタ特性と、水平リサイズブロックにおける水平方向の拡大処理に用いるフィルタ特性の積で表される。具体的には、図２０（ａ）及び（ｂ）に示すような、四角錘台状の通過域を有し、斜め方向の帯域は、垂直方向及び水平方向に比べて広くなってしまう。
【０００４】
このような従来の表示装置９００ａ，９００ｂにおいては、垂直方向及び水平方向にリサイズするための補間処理を、各々１次元のフィルタ処理で行っていた。このため、表示装置９００から出力される拡大画像において、斜め方向の高域部に折り返し成分が発生して、斜め線がギザギザになり、画像が劣化する問題があった。また、斜め方向の周波数帯域を狭めて滑らかな斜め線を得ようとすると、従来の表示装置９００ａ、９００ｂにおいては、垂直方向及び水平方向の周波数成分の通過域も狭められてしまうことになり、画像がぼやけて劣化する問題がある。
【０００５】
これを解決するために、２次元フィルタを使用する方法がある（例えば、特許文献１参照）。この特許文献１に記載の方法においては、画像を単純に２倍に拡大した後に、局所的なエッジ方向を検出する。更に、検出したエッジ方向に応じて、カットする周波数成分を変化させる処理を行うことにより、特許文献１に記載の方法においては、斜め方向のエッジに対して滑らかに画像補間を行うことができる。また、２次元フィルタを補間フィルタとして使用する方法があり、垂直方向及び水平方向の通過域を狭めることなく、斜め方向の通過域を狭めることができ、斜め線を滑らかに補間することができる。
【特許文献１】特許３７６０５３１号公報
【発明の開示】
【発明が解決しようとする課題】
【０００６】
しかしながら、特許文献１に記載の方法においては、画像を単純に２倍に拡大しているので、任意の倍率の拡大画像を得ることができないといった問題がある。また、上述した２次元フィルタを補間フィルタとして使用する方法においては、補間処理の際、垂直方向、水平方向のオーバーサンプリングの周波数に対して、同精度の２次元フィルタのサンプル数が必要となってしまう問題がある。そこで本発明は、画像を劣化させることなく任意倍率の拡大画像を得ることができる表示装置及び表示プログラムを提供することを目的とする。
【課題を解決するための手段】
【０００７】
本発明は、上記課題を解決するために、以下１）〜２）に記載の手段よりなる。
【０００８】
すなわち、
１）  入力画像信号を表示サイズに合致させるため、垂直及び水平方向に任意の倍率にリサイズして出力する表示装置（１０）であって、
前記入力画像信号のサイズと前記表示サイズとから補間画素位置を算出し、前記入力画像信号の垂直方向に隣接する画素の周波数を、ｎ倍（ｎは正の整数）に増加するアップサンプラ（４）と、フィルタ畳み込み処理部（５）及びダウンサンプラ（６）により前記アップサンプラ（４）により出力された信号の周波数を１／ｍ倍（ｍは正の整数）に減少させ、前記入力画像信号の垂直方向に隣接する画素をｎ／ｍ倍にリサイズする垂直リサイズブロック（１）と、
前記入力画像信号のサイズと前記表示サイズとから補間画素位置を算出し、前記入力画像信号の水平方向に隣接する画素の周波数を、ｊ倍（ｊは正の整数）に増加するアップサンプラ（４）と、フィルタ畳み込み処理部（５）及びダウンサンプラ（６）により前記アップサンプラ（４）により出力された信号の周波数を１／ｋ倍（ｋは正の整数）に減少させ、前記入力画像信号の水平方向に隣接する画素をｊ／ｋ倍にリサイズする水平リサイズブロック（２）と、
前記入力画像信号の斜め方向の高域成分を減衰させる周波数特性を有する２次元フィルタブロック（３）と、
を備えることを特徴とする表示装置（１０）。
【０００９】
２）入力画像信号を表示サイズに合致させるため、垂直及び水平方向に任意の倍率にリサイズして出力する表示プログラムであって、コンピュータを、
前記入力画像信号のサイズと前記表示サイズとから補間画素位置を算出し、前記補間画素位置を１／ｎにサンプリングしてサンプリング周波数をｎ倍に増加させた補間フィルタを用いて、前記入力画像信号の垂直方向に隣接する画素の周波数をｎ倍に増加した信号と畳み込み、前記周波数をｎ倍に増加した信号と畳み込まれた信号の周波数を、１／ｍ倍に減少して、前記入力画像信号の垂直方向に隣接する画素をｎ／ｍ倍にリサイズする垂直リサイズ手段（１）と、
前記入力画像信号のサイズと前記表示サイズとから補間画素位置を算出し、前記補間画素位置を１／ｊにサンプリングしてサンプリング周波数をｊ倍に増加させた補間フィルタを用いて、前記入力画像信号の水平方向に隣接する画素の周波数をｊ倍に増加した信号と畳み込み、前記周波数をｊ倍に増加した信号と畳み込まれた信号の周波数を、１／ｋ倍に減少して、前記入力画像信号の水平方向に隣接する画素をｊ／ｋ倍にリサイズする水平リサイズ手段（２）と、
前記入力画像信号の斜め方向の高域成分を減衰させる周波数特性を有する２次元フィルタ手段（３）と、
して機能させることを特徴とする表示プログラム。
【発明の効果】
【００１０】
本発明によれば、通常のオーバーサンプリングによる垂直方向のリサイズ処理と水平方向のリサイズ処理とともに、２次元フィルタを用いて斜め方向の高域成分を除去する処理をすることにより、斜め線のジャギーを抑えた任意倍率の拡大画像を得ることができる表示装置及び表示プログラムを提供することができる。
【発明を実施するための最良の形態】
【００１１】
次に、図面を参照して、本発明の実施の形態を説明する。以下の図面の記載において、同一または類似の部分には同一または類似の符号を付している。
【００１２】
（第１の実施の形態）
図１を参照して、本発明の第１の実施の形態に係る表示装置１０を説明する。本発明の第１の実施の形態に係る表示装置１０は、例えばテレビなどである。表示装置１０が表示する画像は、動画でもよいし、静止画でもよい。本発明の第１の実施の形態に係る表示装置１０は、垂直リサイズブロック１と、水平リサイズブロック２と、２次元フィルタブロック３を有する。
【００１３】
垂直リサイズブロック１は、入力画像信号の垂直方向の周波数をｎ／ｍ倍（ｍ，ｎは正の整数）にして、入力画像信号を垂直方向にｎ／ｍ倍にリサイズする。垂直リサイズブロック１は、入力画像信号の垂直方向に隣接する画素の周波数を、ｎ倍に増加するアップサンプラ４と、標本化位置を１／ｎにサンプリングしてサンプリング周波数をｎ倍に増加させた補間フィルタを用いて、アップサンプラ４により出力された信号と畳み込むフィルタ畳み込み処理部５と、フィルタ畳み込み処理部５から出力された信号の周波数を、１／ｍ倍に減少するダウンサンプラ６とを備える。
【００１４】
水平リサイズブロック２は、垂直リサイズブロック１から出力された信号の水平方向の周波数をｊ／ｋ倍（ｋ，ｊは正の整数）にして、入力画像信号を水平方向にｊ／ｋ倍にリサイズする。水平リサイズブロック２は、垂直リサイズブロック１から出力された信号の水平方向に隣接する画素の周波数を、ｊ倍に増加するアップサンプラ４と、標本化位置を１／ｊにサンプリングしてサンプリング周波数をｊ倍に増加させた補間フィルタを用いて、アップサンプラ４により出力された信号と畳み込むフィルタ畳み込み処理部５と、フィルタ畳み込み処理部５から出力された信号の周波数を、１／ｋ倍に減少するダウンサンプラ６とを備える。
【００１５】
２次元フィルタブロック３は、斜め方向の高域成分を減衰させ、方向にかかわらず通過域が平坦となる振幅を持つ２次元フィルタを用いて、水平リサイズブロック２から出力された信号と畳み込む。
【００１６】
ここで、垂直リサイズブロック１について詳述する。垂直リサイズブロック１は、入力画像信号が入力されると、オーバーサンプリングにより、垂直方向に補間して任意の倍率（ｎ／ｍ倍）にリサイズした信号を水平リサイズブロック２に出力する。例えば、４／３倍にリサイズする場合、垂直リサイズブロック１は、４倍のアップサンプリングと、１／３のダウンサンプリングにより、垂直方向の４タップの補間フィルタを使用した場合は垂直方向の４画素を参照して４／３倍の補間拡大を行うことができる。
【００１７】
垂直リサイズブロック１は、図２に示すように、アップサンプラ４と、フィルタ畳み込み処理部５と、ダウンサンプラ６を備えている。アップサンプラ４は、図３（ａ）に示す入力画像信号が入力されると、図３（ｂ）に示すように、各画素間に３点（ｎ−１点）ずつ零値の画素を挿入して、見かけ上の周波数を４倍（ｎ倍）にして出力する。
【００１８】
次に、フィルタ畳み込み処理部５は、図４に示すような補間フィルタ係数を用いて、アップサンプラ４によってサンプリングされた画像信号と畳み込む。この補間フィルタは、標本化位置を１／４（１／ｎ）にサンプリングすることにより、サンプリング周波数を４倍（ｎ倍）に上げたフィルタである。具体的には、図４で示した補間フィルタ係数で、図３（ｂ）に示した零値が挿入された信号と畳み込んで、図３（ｃ）に示す畳み込み信号を取得する。
【００１９】
フィルタ畳み込み処理部５によって出力された信号を、ダウンサンプラ６に入力して、信号の周波数を１／３倍（１／ｍ倍）に減少する。具体的には、図３（ｃ）に示すフィルタを畳み込んだ信号から、２画素（ｍ−１画素）おきに信号を間引くことにより、図３（ｄ）に示すような周波数を１／３倍に減少した信号を取得することができる。
【００２０】
このような処理により取得された図３（ｄ）に示される各画素の信号値は、図３（ａ）に示す入力信号に比べて、４／３倍（ｎ／ｍ倍）にリサイズされた画像の信号になる。
【００２１】
このように、垂直リサイズブロック１により、入力画像信号が垂直方向に補間縮小または補間拡大されると、水平リサイズブロック２に入力される。
【００２２】
ここで、水平リサイズブロック２について詳述する。水平リサイズブロック２は、垂直リサイズブロック１からの出力信号が入力されると、オーバーサンプリングにより、水平方向に補間して任意の倍率（ｊ／ｋ倍）にリサイズした信号を２次元フィルタブロック３に出力する。例えば、３／２倍にリサイズする場合、水平リサイズブロック２は、３倍のアップサンプリングと、１／２のダウンサンプリングにより、水平方向の画素を参照した３／２倍の補間拡大を行うことができる。
【００２３】
水平リサイズブロック２は、垂直リサイズブロック１と同様に、アップサンプラと、フィルタ畳み込み処理部と、ダウンサンプラを備えている。アップサンプラは、図３（ａ）に示す入力画像信号が入力されると、図３（ｂ）と同様に、各画素間に２点（ｊ−１点）ずつ零値の画素を挿入して、見かけ上の周波数を３倍（ｊ倍）にして出力する。
【００２４】
次に、フィルタ畳み込み処理部５は、図４と同様に補間フィルタ係数を用いて、アップサンプラによってサンプリングされた画像信号と畳み込む。この補間フィルタは、標本化位置を１／３（１／ｊ）にサンプリングすることにより、サンプリング周波数を３倍（ｊ倍）に上げたフィルタである。具体的には、図４で示した補間フィルタ係数で、図３（ｂ）に示した零値が挿入された信号と畳み込んで、図３（ｃ）と同様に畳み込み信号を取得する。
【００２５】
フィルタ畳み込み処理部５によって出力された信号を、ダウンサンプラに入力して、信号の周波数を１／２倍（１／ｋ倍）に減少する。具体的には、図３（ｃ）に示すフィルタを畳み込んだ信号から、１画素（ｋ−１画素）おきに信号を間引くことにより、図３（ｄ）と同様に周波数を１／２倍に減少した信号を取得することができる。
【００２６】
垂直リサイズブロック１及び水平リサイズブロック２によって、垂直方向及び水平方向に任意の倍率にリサイズされた画像の信号は、２次元フィルタブロック３に入力される。この２次元フィルタブロック３においては、タップ数が７×７の２次元フィルタを畳み込む。
【００２７】
２次元フィルタブロック３で使用される２次元フィルタは、垂直、水平の１次元フィルタの合成により、斜め方向の高域成分を減衰させ、方向にかかわらず通過域が平坦となる振幅を持つ。２次元フィルタは、図５に示すように、斜め方向に帯域制限を行って、折り返し成分を抑える。具体的には、垂直方向の補間拡大に用いるフィルタのカットオフ周波数をｆｓ＿ｖ／２、水平方向の補間拡大に用いるフィルタのカットオフ周波数をｆｓ＿ｈ／２とした場合、水平方向軸の正の位置から角度θの斜め方向では、通過帯域は、ｃｏｓθ倍となる。図５に示す例においては、カットオフ周波数が、点Ａの位置ではなく、点Ａ’の位置となる。
【００２８】
２次元フィルタは、例えば、図６に示すようなダイヤモンド型、または図７に示すような丸形の通過域を持つフィルタである。このような２次元フィルタを用いることにより、斜め方向成分について、垂直方向及び水平方向の通過帯域と等価な帯域制限を行って折り返し成分を抑えるので、拡大画像の斜め成分がギザギザになることなく、滑らかに復元処理することができる。
【００２９】
ここで、２次元フィルタブロック３における２次元フィルタ処理を詳述する。
【００３０】
７×７の画素の２次元フィルタ処理を行う場合、出力画像の各画素毎に、２次元フィルタ処理ブロック３に入力される画像信号の７×７の画素のブロックが参照される。例えば、図８（ｂ）における座標（ｘ、ｙ）の出力画像信号ｄｏ（ｘ、ｙ）を算出する場合、図８（ａ）において「参照する７×７画素」で示された７×７の画素について、入力された画像信号の画素データが参照される。ここで、参照される７×７の画素の入力された画像信号ｄｉ（ｘ＋ｉ、ｙ＋ｉ）を図９に示す。図９において、−３≦ｉ≦３、−３≦ｊ≦３の範囲で値を持つ。
【００３１】
また、７×７のタップ数の２次元フィルタ係数ｆ（ａ、ｂ）は、図１０に示すように、ｆ（０、０）を中心として、−３≦ａ≦３、−３≦ｂ≦３の範囲で値を持つ。
【数１】
2009088893.tif 000003
【００３２】
このとき、式（１）のように、フィルタ係数と積算し、積算結果の合計が、出力画像の画像信号となる。全ての出力画像信号を求めるために、２次元フィルタブロック３は、２次元フィルタブロック３に入力された画像のＰ×Ｑ個の全ての画素について、積和演算を行う。
【００３３】
次に、図１１乃至図１３を参照して、本発明の表示装置の各処理ブロックの処理を説明する。
【００３４】
図１１を参照して、垂直リサイズブロック１による垂直リサイズ処理を説明する。
【００３５】
まず、ステップＳ１０１において、垂直補間する対象の画素位置を算出する。この画素位置は、垂直補間倍率に応じて、決定され、垂直補間倍率がｎ／ｍ倍の場合（直前のＳ１０１で算出した画素位置に対して）ｍ／ｎずつ増加し、０，ｍ／ｎ，２ｍ／ｎ，３ｍ／ｎ…となる。
【００３６】
次に、ステップＳ１０２において、ステップＳ１０１で算出された画素位置に対応する補間フィルタ係数が選択される。次にステップＳ１０３において、補間に用いる周辺ラインの画素データを、フレームメモリから読み出し、ラインメモリに書き込む。
【００３７】
次にステップＳ１０４において、所定の水平画素について、ステップＳ１０２において選択された補間フィルタ係数と、ステップＳ１０３においてラインメモリから読み出された画素データの積を求めて加算される。ステップＳ１０４の処理は、全ての水平画素について繰り返される。
【００３８】
ステップＳ１０５において、ステップＳ１０１乃至ステップＳ１０４の処理が、画像の下端のラインの処理であるか否かが判定される。下端のラインの処理でない場合、ステップＳ１０１に戻り、次のラインについて処理される。一方、下端のラインの処理の場合、垂直リサイズブロック１による垂直リサイズ処理は終了する。
【００３９】
図１２を参照して、水平リサイズブロック２による水平リサイズ処理を説明する。
【００４０】
まず、ステップＳ２０１において、垂直リサイズブロック１によって垂直リサイズ処理された信号を、ラインメモリに書き込む。次にステップＳ２０２において、水平補間する対象の画素位置を算出する。この画素位置は、水平補間倍率に応じて、決定され、水平補間倍率がｊ／ｋ倍の場合（直前のＳ２０２で算出した画素位置に対して）ｋ／ｊずつ増加し、０，ｋ／ｊ，２ｋ／ｊ，３ｋ／ｊ…となる。
【００４１】
次に、ステップＳ２０３において、ステップＳ２０２で算出された画素位置に対応する補間フィルタ係数が選択される。次にステップＳ２０４において、補間に用いる周辺の画素データを、ラインメモリから読み出し、ステップＳ２０３において選択された補間フィルタ係数との積を求めて加算する。
【００４２】
ステップＳ２０５において、ステップＳ２０２乃至ステップＳ２０４の処理が、画像の右端の画素に対する処理であるか否かが判定される。右端の画素の処理でない場合、ステップＳ２０２に戻り、次に水平補間する対象の画素位置を算出する。一方、右端の画素の処理の場合、ステップＳ２０６において、ステップＳ２０１乃至ステップＳ２０５の処理が、画像の下端のラインの処理であるか否かが判定される。下端のラインの処理でない場合、ステップＳ２０１に戻り、次のラインについて処理される。一方、下端のラインの処理の場合、水平リサイズブロック２による水平リサイズ処理は終了する。
【００４３】
図１３を参照して、２次元フィルタブロック３による２次元フィルタ処理を説明する。ここでは、２次元フィルタがＭ×Ｎタップ（Ｍ，Ｎは正の整数）である場合について説明する。
【００４４】
まず、ステップＳ３０１において、水平リサイズブロック２によって水平リサイズ処理された信号をラインメモリに順次書き込んで、信号を遅延させる。
【００４５】
次にステップＳ３０２及びステップＳ３０３において、全ての画素について、２次元フィルタ処理される。具体的には、ステップＳ３０２において、ラインメモリから処理対象の画素を中心とするＭ×Ｎ画素が選択される。次にステップＳ３０３において、ステップＳ３０２で選択されたＭ×Ｎ画素の信号値と、Ｍ×Ｎタップの２次元フィルタをそれぞれ積算し加算する。加算された値は、処理対象画素の出力画素として出力される。ステップＳ３０２及びステップＳ３０３の処理は、画像の上端から下端まで、左から右方向へ１画素ずつ処理されて、各処理対象画素の出力画素として出力される。
【００４６】
このような第１の実施の形態に係る表示装置によれば、通常のオーバーサンプリングによる垂直方向のリサイズ処理と水平方向のリサイズ処理とともに、２次元フィルタを用いて斜め方向の高域成分を除去する処理をすることにより、画像を劣化させることなく任意倍率の拡大画像又は縮小画像を得ることができる。
【００４７】
また、垂直リサイズブロック及び水平リサイズブロックにおいて、任意の倍率のアップサンプラ及びダウンサンプラを実施することにより、垂直方向及び水平方向に、それぞれ任意の倍率にリサイズした画像信号を出力することができる。
【００４８】
また、表示装置１０の垂直リサイズブロック１、水平リサイズブロック２及び２次元フィルタブロック３の各機能構成をプログラム化して、コンピュータに組み込むことにより、当該コンピュータを機能させる表示プログラムを構築することも可能である。
【００４９】
第１の実施の形態においては、図１に示す表示装置１０のように、垂直リサイズブロック１による垂直リサイズ処理がされた後に、水平リサイズブロック２による水平リサイズ処理がされ、水平リサイズ処理がされた後に、２次元フィルタブロック３による２次元フィルタ処理がされる場合について説明したが、図１６に示す表示装置１１のように、水平リサイズブロック２による水平リサイズ処理がされた後に、垂直リサイズブロック１による垂直リサイズ処理がされ、垂直リサイズ処理がされた後に、２次元フィルタブロック３による２次元フィルタ処理がされてもよい。
【００５０】
（第２の実施の形態）
図１４は、本発明の第２の実施の形態に係る表示装置１０ａの機能ブロック図である。図１４に示す本発明の第２の実施の形態に係る表示装置１０ａは、図１に示す本発明の第１の実施の形態に係る表示装置１０と比べて、２次元フィルタブロック３ａによる２次元フィルタ処理がされた後に、垂直リサイズブロック１ａによる垂直リサイズ処理及び水平リサイズブロック２ａによる水平リサイズ処理がされる点が異なる。
【００５１】
第２の実施の形態においては、まず入力画像信号が、２次元フィルタブロック３ａに入力され、入力画像信号に対して、２次元フィルタブロック３ａによって、２次元フィルタ処理が行われる。これにより、斜め方向の成分について、帯域制限がされる。次に、垂直リサイズブロック１ａに入力されて、オーバーサンプリングにより垂直方向に補間縮小または補間拡大される。最後に、水平リサイズブロック２ａに入力されて、オーバーサンプリングにより水平方向に補間縮小または補間拡大される。
【００５２】
このような本発明の第２の実施の形態に係る表示装置１０ａにより、斜め方向の折り返し成分を除去することができ、自然な拡大画像又は縮小画像を得ることができる。また、２次元フィルタブロック３ａより後段に垂直リサイズブロック１ａ及び水平リサイズブロック２ａを設けることにより、垂直方向及び水平方向の補間縮小及び補間拡大を行う際は、２次元フィルタをプリフィルタとして扱うことができる。これにより、本発明の第２の実施の形態に係る表示装置１０ａは、斜め方向だけでなく、垂直方向及び水平方向の帯域制限を有効にすることができる。
【００５３】
第２の実施の形態においては、図１４に示す表示装置１０ａのように、２次元フィルタブロック３ａによる２次元フィルタ処理がされた後に、垂直リサイズブロック１ａによる垂直リサイズ処理がされ、垂直リサイズ処理がされた後に、水平リサイズブロック２ａによる水平リサイズ処理がされる場合について説明したが、図１７に示す表示装置１１ａのように、２次元フィルタブロック３ａによる２次元フィルタ処理がされた後に、水平リサイズブロック２ａによる水平リサイズ処理がされ、水平リサイズ処理がされた後に、垂直リサイズブロック１ａによる垂直リサイズ処理がされてもよい。
【００５４】
（第３の実施の形態）
図１５は、本発明の第３の実施の形態に係る表示装置１０ｂの機能ブロック図である。図１５に示す本発明の第３の実施の形態に係る表示装置１０ｂは、図１に示す本発明の第１の実施の形態に係る表示装置１０と比べて、垂直リサイズブロック１ｂによる垂直リサイズ処理がされた後に、２次元フィルタブロック３ａによる２次元フィルタ処理がされ、２次元フィルタ処理がされた後に、水平リサイズブロック２ｂによる水平リサイズ処理がされる点が異なる。
【００５５】
第３の実施の形態においては、まず入力画像信号が、垂直リサイズブロック１ｂに入力されて、入力画像信号に対して、オーバーサンプリングにより垂直方向に補間縮小または補間拡大される。次に、２次元フィルタブロック３ｂに入力され、２次元フィルタブロック３ｂにより２次元フィルタ処理が行われる。これにより、斜め方向の成分について、帯域制限がされる。次に、最後に、水平リサイズブロック２ｂに入力されて、オーバーサンプリングにより水平方向に補間縮小または補間拡大される。
【００５６】
このような本発明の第２の実施の形態に係る表示装置１０ｂにより、斜め方向の折り返し成分を除去することができ、自然な拡大画像又は縮小画像を得ることができる。また、２次元フィルタブロック３ｂより後段に水平リサイズブロック２ｂを設けることにより、水平方向の補間縮小及び補間拡大を行う際は、２次元フィルタをプリフィルタとして扱うことができる。これにより、本発明の第３の実施の形態に係る表示装置１０ｂは、斜め方向だけでなく、水平方向の帯域制限を有効にすることができる。
【００５７】
第３の実施の形態においては、図１５に示す表示装置１０ｂのように、垂直リサイズブロック１ｂによる垂直リサイズ処理がされた後に、２次元フィルタブロック３ｂによる２次元フィルタ処理がされ、２次元フィルタ処理がされた後に、水平リサイズブロック２ｂによる水平リサイズ処理がされる場合について説明したが、図１８に示す表示装置１１ｂのように、水平リサイズブロック２ｂによる水平リサイズ処理がされた後に、２次元フィルタブロック３ｂによる２次元フィルタ処理がされ、２次元フィルタ処理がされた後に、垂直リサイズブロック１ｂによる垂直リサイズ処理がされてもよい。この場合、２次元フィルタブロック３ｂより後段に垂直リサイズブロック１ｂを設けることにより、垂直方向の補間縮小及び補間拡大を行う際は、２次元フィルタをプリフィルタとして扱うことができ、斜め方向だけでなく、垂直方向の帯域制限を有効にすることができる。
【図面の簡単な説明】
【００５８】
【図１】本発明の第１の実施の形態に係る表示装置の機能ブロック図である。
【図２】本発明の第１の実施の形態に係る垂直リサイズブロックの機能ブロック図である。
【図３】本発明の第１の実施の形態に係る垂直リサイズブロックにおける補間処理において、画像信号を説明する図である。
【図４】本発明の第１の実施の形態に係る垂直リサイズブロックにおける補間処理において用いられる補間フィルタ係数を説明する図である。
【図５】本発明の第１の実施の形態に係る表示装置の２次元フィルタの通過域を説明する図である。
【図６】本発明の第１の実施の形態に係る表示装置の２次元フィルタのダイヤモンド型の周波数特性を説明する図であって、図６（ａ）は鳥瞰図で、図６（ｂ）は等高線図である。
【図７】本発明の第１の実施の形態に係る表示装置の２次元フィルタの丸型の周波数特性を説明する図であって、図７（ａ）は鳥瞰図で、図７（ｂ）は等高線図である。
【図８】本発明の第１の実施の形態に係る表示装置の２次元フィルタブロックにおいて、参照する画素を説明する図であって、図８（ａ）は、入力される画素であって、図８（ｂ）は、出力する画素である。
【図９】本発明の第１の実施の形態に係る表示装置の２次元フィルタブロックにおいて、参照するブロックの入力画素信号を説明する図である。
【図１０】本発明の第１の実施の形態に係る表示装置の２次元フィルタブロックにおいて、２次元フィルタのフィルタ係数を説明する図である。
【図１１】本発明の第１の実施の形態に係る垂直リサイズ処理を説明するフローチャートである。
【図１２】本発明の第１の実施の形態に係る水平リサイズ処理を説明するフローチャートである。
【図１３】本発明の第１の実施の形態に係る２次元フィルタ処理を説明するフローチャートである。
【図１４】本発明の第２の実施の形態に係る表示装置の機能ブロック図である。
【図１５】本発明の第３の実施の形態に係る表示装置の機能ブロック図である。
【図１６】本発明の第１の実施の形態の変形例に係る表示装置の機能ブロック図である。
【図１７】本発明の第２の実施の形態の変形例に係る表示装置の機能ブロック図である。
【図１８】本発明の第３の実施の形態の変形例に係る表示装置の機能ブロック図である。
【図１９】従来の表示装置を説明するブロック図である。
【図２０】従来の表示装置における周波数特性を説明する図であって、図２０（ａ）は鳥瞰図で、図２０（ｂ）は等高線図である。
【符号の説明】
【００５９】
１、９０１  垂直リサイズブロック
２、９０２  水平リサイズブロック
３  ２次元フィルタブロック
１０、９００  表示装置
【図１】
2009088893.tif 000004
【図２】
2009088893.tif 000005
【図３】
2009088893.tif 000006
【図４】
2009088893.tif 000007
【図５】
2009088893.tif 000008
【図８】
2009088893.tif 000009
【図９】
2009088893.tif 000010
【図１０】
2009088893.tif 000011
【図１１】
2009088893.tif 000012
【図１２】
2009088893.tif 000013
【図１３】
2009088893.tif 000014
【図１４】
2009088893.tif 000015
【図１５】
2009088893.tif 000016
【図１６】
2009088893.tif 000017
【図１７】
2009088893.tif 000018
【図１８】
2009088893.tif 000019
【図６】
2009088893.tif 000020
【図７】
2009088893.tif 000021
【図１９】
2009088893.tif 000022
【図２０】
2009088893.tif 000023